(57)【要約】【課題】情報通信端末でＲＳＳ等により取得した記事の詳細情報を、情報通信端末の操作に関してユーザの利便性を損なうことなく、簡易な操作で取得して閲覧できるようにする。【解決手段】情報通信端末１は、記事一覧の表示要求に対して（Ｓ２１）、記事一覧を表示する（Ｓ２２）。記事一覧は、ＲＳＳリーダ等により所定のサイトから取得されたものである。記事一覧の中から特定の記事について詳細な内容を表示させたい場合、ユーザは詳細情報の取得要求を行う（Ｓ２３）。ここで情報通信端末１がネットワークに接続できない場合、その記事の詳細情報のＷｅｂアドレスを登録する（Ｓ２４）。情報通信端末１と無線ＬＡＮルータ２とが接続されると（Ｓ２６）、情報通信端末１は、登録されているＷｅｂアドレスに従って、インターネット３上のサイトにアクセスし、詳細情報を取得する（Ｓ２８）。【選択図】図１
2013156785.tif 000002
【特許請求の範囲】
【請求項１】
複数のコンピュータが接続されているネットワークに接続するネットワーク接続手段と、
前記ネットワーク上に設定された記事情報提供サイトにて提供される記事の一覧情報を取得する記事一覧情報取得部と、
前記記事情報提供サイトで提供される記事の詳細情報を別途提供する前記ネットワーク上のサイトから、前記詳細情報を取得する詳細情報取得部と、
取得した前記記事一覧情報のなかから、特定の記事について前記詳細情報を取得する際、前記ネットワーク接続手段が目的のネットワークに接続できない状態である場合、前記詳細情報を提供するサイトの所在情報を記憶する記憶部と、を有し、
前記詳細情報取得部は、前記ネットワーク接続部が前記目的のネットワークに接続できる状態になったときに、前記記憶部に記憶した前記所在情報を使用して、前記詳細情報を提供するサイトから前記詳細情報を取得することを特徴とする情報通信端末。
【請求項２】
請求項１に記載の情報通信端末において、
表示部と、ユーザ操作を受け付ける操作入力部と、
を有し、
前記表示部は、前記操作入力部に対する操作入力に応じて、前記記事一覧情報取得部が取得した記事一覧情報を表示し、
前記詳細情報取得部は、前記操作入力部に対する詳細情報の取得を要求する操作入力に応じて、前記記事一覧情報から選択された特定の記事について、当該選択された記事の詳細情報を取得し、
前記表示部は、前記操作入力部に対する詳細情報の表示を要求する操作入力に応じて、前記取得した詳細情報を表示することを特徴とする情報通信端末。
【請求項３】
請求項２に記載の情報通信端末において、
前記表示部は、前記記事一覧情報を表示する際、前記詳細情報の取得が要求されている状態の記事と、前記詳細情報が取得された記事については、それぞれ明示的に区別して表示することを特徴とする情報通信端末。
【請求項４】
請求項２に記載の情報通信端末において、
前記表示部は、前記記事一覧情報を表示する際、前記詳細情報の取得が要求されている状態の記事を除く一覧情報を表示することを特徴とする情報通信端末。
【請求項５】
請求項３または４に記載の情報通信端末において、
前記表示部は、前記詳細情報の取得が要求されている状態の記事と前記詳細情報が取得された記事のみ、または前記詳細情報が取得された記事のみを別途一覧にして表示可能としたことを特徴とすることを特徴とする情報通信端末。
【請求項６】
請求項２に記載の情報通信端末において、
前記詳細情報取得部は、複数の前記詳細情報の取得が要求された場合、予め定められた優先順位に従う順序に従って、前記詳細情報を取得することを特徴とする情報通信端末。
【請求項７】
請求項２に記載の情報通信端末において、
前記詳細情報取得部は、前記詳細情報に含まれるテキスト情報のみを取得し、その後所定の条件もしくは前記操作入力部に対する操作入力に従って、前記詳細情報に含まれる画像情報を取得することを特徴とする情報通信端末。
【請求項８】
請求項７に記載の情報通信端末において、
前記表示部は、前記記事一覧情報を表示する際、前記詳細情報のテキスト情報の取得が要求されている状態の記事と、前記詳細情報のテキスト情報が取得された記事と、前記詳細情報の画像情報の取得が要求されている状態の記事と、前記詳細情報の画像情報が取得された記事とについて、それぞれ明示的に区別して表示することを特徴とする情報通信端末。
【発明の詳細な説明】
【技術分野】
【０００１】
本発明は、情報通信端末、より詳細には、ネットワーク上で提供される記事の一覧情報と、その記事の詳細情報とを取得して表示する情報通信端末に関する。
【背景技術】
【０００２】
ネットワークサービスに接続したスマートフォンや携帯電話などの情報通信端末（クライアント）は、Ｗｅｂサイト上で提供されるブログ（blog）やニュースなどのコンテンツ情報を得ることができる。これらのＷｅｂサイトでは、公開しているコンテンツの情報をＲＳＳ（Rich Site Summary、Really Simple Syndication）フォーマットやＡｔｏｍフォーマットのデータで公開している。
ＲＳＳデータはＸＭＬ（eXtensible Markup Language）形式で記述されている。ユーザはＲＳＳリーダと呼ばれる専用のソフトウェアを用いて、ＲＳＳデータを情報として認識する。例えばＲＳＳリーダは、ユーザが予め登録したブログサイト等を定期的に巡回して、サイトが配信するＲＳＳデータをダウンロードして表示する。これによりユーザは、自らの操作でサイトを巡回することなく、新着の記事が掲載されたことをすぐに知ることができる。また、ＲＳＳは、即応性の高いニュース・サイト等にも適用され、新着の記事等を閲覧可能としている。
【０００３】
特に、ＲＳＳデータによる記事だけをオフラインで閲覧することができる専用クライアントソフトウェアがある。このソフトウェアは、情報通信端末上で記事の一覧や各記事の概要を確認することができるようにするもので、ユーザは、ＲＳＳリーダにより表示させた新着記事のなかから、気になった記事の詳細な内容をＷｅｂブラウザで開いて閲覧することができる。
【０００４】
図９は、従来技術による記事の詳細表示までの処理手順の一例を示す図で、図中、１はスマートフォンや携帯電話等の情報通信端末、２は無線ＬＡＮルータ、３はインターネット、４はユーザである。
ユーザ４は、情報通信端末１を操作して、記事一覧表示を要求する（ステップＳ５１）。記事一覧の情報は、ＲＳＳリーダにより所定のサイトから取得され、情報通信端末１に保持されているものである。情報通信端末１では、上記の表示要求に対して、保持している記事一覧を表示させる（ステップＳ５２）。
【０００５】
そしてユーザは、表示された記事一覧の中から、例えば興味がある記事等があって、その記事の詳細情報を表示させたい場合には、まず、情報通信端末１を操作してネットワークへの接続要求を行う（ステップＳ５３）。情報通信端末１は、ネットワークアクセスポイントの機能を有する機器として例えば無線ＬＡＮルータ２に接続する。ここで情報通信端末１が無線ＬＡＮルータ２に接続できた場合、無線ＬＡＮルータ２は、接続通知を情報通信端末１に返し、ユーザに知らせる（ステップＳ５４）。この場合、情報通信端末１では、無線ＬＡＮルータ２に接続できるまで待たなければならず、この間、情報通信端末１での他の作業、例えばＲＳＳリーダにより取得された記事一覧の閲覧等は中断される。
【０００６】
無線ＬＡＮルータ２からネットワーク接続通知が返信されると、ユーザは、情報通信端末１を操作して、所望する記事の詳細情報の閲覧を要求することができる（ステップＳ５５）。情報通信端末１は、Ｗｅｂブラウザを起動して、選択した記事のＲＳＳデータに紐付けられているＷｅｂアドレスに従って、無線ＬＡＮルータ２からインターネット３上のサイトにアクセスし、詳細情報の取得を要求する（ステップＳ５６）。そして情報通信端末１がインターネット３から詳細情報を取得し（ステップＳ５７）、取得した詳細情報を情報通信端末１で表示させ、ユーザに閲覧可能とする（ステップＳ５８）。
【０００７】
ＲＳＳリーダによる記事の閲覧に係る技術に関して、例えば、特許文献１には、ネットワークにおいて提供される記事をユーザが効率的に知得することを目的としたＲＳＳリーダプログラムが開示されている。このプログラムは、記事記憶部に格納されている第１の記事の表示がユーザによって選択されたことを検出した場合、第１の記事と記事記憶部に格納されている第２の記事との記事関連度を算出し、記事関連度が所定の条件を満たした場合、第２の記事を第１の記事に関連して抽出し、記事記憶部に第１の記事を最優先に格納し、抽出された第２の記事を、第１の記事に次いで優先的に記事記憶部に格納するものである。これにより、相互に関連する記事が、１つの話題を構成するものとして抽出され、従って、記事の効率的な管理及びユーザによる記事の効率的な知得が実現されるとされている。
【先行技術文献】
【特許文献】
【０００８】
【特許文献１】特開２００６−２６８２０１号公報
【発明の概要】
【発明が解決しようとする課題】
【０００９】
例えば、上記専用クライアントソフトウェアによって取得した記事一覧のなかから、特定の記事の詳細情報のページをＷｅｂブラウザで開くためには、情報通信端末１は、ネットワークに接続された状態でなければならない。
例えば、図９の例では、情報通信端末１に対して要求されたネットワーク接続要求に対して、情報通信端末が無線ＬＡＮルータ２に接続し、その無線ＬＡＮルータ２が接続通知を返すまで待機しなくてはならない。また、従来の技術では、情報通信端末１がネットワークに接続できない場合には、エラーとなって記事を読めない旨の表示が行われ、その先の記事の詳細情報の表示等の処理に進むことはできなかった。
【００１０】
一方、情報通信端末がネットワークに接続するときの制限として、公衆無線ＬＡＮによりネットワーク接続しようとする場合、駅構内など限られたスペースでないと利用することができない。また、ＷｉＭａｘや移動体通信などによってネットワーク接続しようとする場合は、これらは地上では常時利用可能であるが、例えばユーザが地下鉄で移動している場合には、地下鉄の車両が駅に停車しているときや、ユーザが駅で乗り換え中のときでなければネットワーク接続することができない。
【００１１】
現状では、情報通信端末を使用して、ＲＳＳリーダ等により取得した記事一覧からユーザが気になる記事を見つけ、その記事の詳細情報をＷｅｂブラウザで読もうと考えた場合、ユーザは、情報通信端末がネットワークに接続するまでそのまま待機して、ネットワークに接続されたときにＷｅｂブラウザを起動し、所望の記事のＷｅｂページを開いて詳細情報を閲覧する必要がある。
この場合、ネットワークに接続されるまで待機する代わりに、情報通信端末で特別なフラグ（スターなど）を設定し、その後、情報通信端末がネットワークに接続されてからＷｅｂブラウザを起動してページを開くうようにする方法もある。
【００１２】
しかしながら、いずれの場合であっても、ＲＳＳリーダ等による記事の一覧表示や概要情報の閲覧を中断し、Ｗｅｂブラウザを起動して詳細情報を取得する動作を行わなければならないとうデメリットが生じる。
また、記事一覧や概要情報の表示を行う際に、全ての記事の詳細情報を情報通信端末にダウンロードしておくことも考えられるが、これに対応するには大容量のメモリが必要となり、またダウンロードに要する時間もかかるので実用的ではない。
【００１３】
本発明は、上述のごとき実情に鑑みてなされたものであり、情報通信端末でＲＳＳ等により取得した記事の詳細情報を、情報通信端末の操作に関してユーザの利便性を損なうことなく、簡易な操作で取得して閲覧できるようにした情報通信端末を提供することを目的とする。
【課題を解決するための手段】
【００１４】
上記課題を解決するために、本発明の第１の技術手段は、複数のコンピュータが接続されているネットワークに接続するネットワーク接続手段と、前記ネットワーク上に設定された記事情報提供サイトにて提供される記事の一覧情報を取得する記事一覧情報取得部と、前記記事情報提供サイトで提供される記事の詳細情報を別途提供する前記ネットワーク上のサイトから、前記詳細情報を取得する詳細情報取得部と、取得した前記記事一覧情報のなかから、特定の記事について前記詳細情報を取得する際、前記ネットワーク接続手段が目的のネットワークに接続できない状態である場合、前記詳細情報を提供するサイトの所在情報を記憶する記憶部と、を有し、前記詳細情報取得部は、前記ネットワーク接続部が前記目的のネットワークに接続できる状態になったときに、前記記憶部に記憶した前記所在情報を使用して、前記詳細情報を提供するサイトから前記詳細情報を取得することを特徴としたものである。
【００１５】
第２の技術手段は、請求項１の技術手段において、表示部と、ユーザ操作を受け付ける操作入力部と、を有し、前記表示部は、前記操作入力部に対する操作入力に応じて、前記記事一覧情報取得部が取得した記事一覧情報を表示し、前記詳細情報取得部は、前記操作入力部に対する詳細情報の取得を要求する操作入力に応じて、前記記事一覧情報から選択された特定の記事について、当該選択された記事の詳細情報を取得し、前記表示部は、前記操作入力部に対する詳細情報の表示を要求する操作入力に応じて、前記取得した詳細情報を表示することを特徴としたものである。
【００１６】
第３の技術手段は、第２の技術手段において、前記表示部は、前記記事一覧情報を表示する際、前記詳細情報の取得が要求されている状態の記事と、前記詳細情報が取得された記事については、それぞれ明示的に区別して表示することを特徴としたものである。
【００１７】
第４の技術手段は、第２の技術手段において、前記表示部は、前記記事一覧情報を表示する際、前記詳細情報の取得が要求されている状態の記事を除く一覧情報を表示することを特徴としたものである。
【００１８】
第５の技術手段は、第３または第４の技術手段において、前記表示部は、前記詳細情報の取得が要求されている状態の記事と前記詳細情報が取得された記事のみ、または前記詳細情報が取得された記事のみを別途一覧にして表示可能としたことを特徴としたものである。
【００１９】
第６の技術手段は、第２の技術手段において、前記詳細情報取得部は、複数の前記詳細情報の取得が要求された場合、予め定められた優先順位に従う順序に従って、前記詳細情報を取得することを特徴としたものである。
【００２０】
第７の技術手段は、第２の技術手段において、前記詳細情報取得部は、前記詳細情報に含まれるテキスト情報のみを取得し、その後所定の条件もしくは前記操作入力部に対する操作入力に従って、前記詳細情報に含まれる画像情報を取得することを特徴としたものである。
【００２１】
第８の技術手段は、第７の技術手段において、前記表示部は、前記記事一覧情報を表示する際、前記詳細情報のテキスト情報の取得が要求されている状態の記事と、前記詳細情報のテキスト情報が取得された記事と、前記詳細情報の画像情報の取得が要求されている状態の記事と、前記詳細情報の画像情報が取得された記事とについて、それぞれ明示的に区別して表示することを特徴としたものである。
【発明の効果】
【００２２】
本発明によれば、情報通信端末でＲＳＳ等により取得した記事の詳細情報を、情報通信端末の操作に関してユーザの利便性を損なうことなく、簡易な操作で取得して閲覧できるようにした情報通信端末を提供することができる。
特に本発明によれば、取得した記事一覧情報のなかからユーザが興味深いと感じた記事の詳細情報を取得しようとしたときに、ネットワークに接続できない場合、詳細情報の所在情報であるアドレスを登録しておき、ネットワークに接続されたときにそのアドレスを用いて詳細情報を自動的に取得することにより、詳細情報取得の手間を簡素化することができる。また、詳細情報は自動的に取得されるので、記事一覧やその概要情報の閲覧を中断することなく、詳細情報の取得が可能となる。
【図面の簡単な説明】
【００２３】
【図１】本発明に係る情報通信端末の一実施形態の機能を示すブロック図である。
【図２】本発明に係る情報通信端末の実施形態における各機能要素の動作を説明する図である。
【図３】本発明に係る情報通信端末を用いた記事の詳細表示までの処理手順の一例を示す図である。
【図４】本発明による情報通信端末における処理の流れの一例を示すフローチャートである。
【図５】情報通信端末がＲＳＳリーダにより取得した記事の一覧表示及び概略表示の表示例を示す図である。
【図６】情報通信端末がＲＳＳリーダにより取得した記事の一覧表示及び概略表示の他の表示例を示す図である。
【図７】情報通信端末で記事の詳細情報を表示するときの表示例を示す図である。
【図８】情報通信端末がＲＳＳリーダにより取得した記事の一覧表示及び概略表示の他の表示例を示す図である。
【図９】従来技術による記事の詳細表示までの処理手順の一例を示す図である。
【発明を実施するための形態】
【００２４】
図１は、本発明に係る情報通信端末の一実施形態の機能を示すブロック図である。情報通信端末１は、通信部１１、制御部１２、表示部１３、ＲＳＳ情報記憶部１４、Ｗｅｂアドレス記憶部１５、詳細情報記憶部１６、操作入力部１７を備えている。
【００２５】
通信部１１は、所定の通信方式で無線通信を行って相手先機器と接続し、データの送受信を行う。通信部１１による無線通信により、情報通信端末１はネットワークに接続してネットワーク上に設定された記事情報提供サイトや詳細情報提供サイトにアクセスし、データを取得することができる。ネットワークは複数のコンピュータが相互に接続されたものである。通信部１１は、制御部１２の制御に従ってネットワークに接続する本発明のネットワーク接続手段に該当する。
【００２６】
制御部１２は、情報通信端末全体の動作を制御する。本発明の記事一覧情報取得部、詳細情報取得部は、制御部１２により実行されるソフトウェアの機能により実現される。また操作入力部１７は、ユーザ操作を受け付けてその操作情報を制御部１２に渡す。
ＲＳＳ情報記憶部１４は、ＲＳＳリーダが巡回するサイトが配信するＲＳＳデータをダウンロードして記憶する。ＲＳＳデータは、ブログやニュース・サイトの新着記事の一覧やその概要情報等である。ＲＳＳ情報記憶部１４に記憶されるＲＳＳデータは、以下に説明するＷｅｂアドレス記憶部１５に記憶されるＷｅｂアドレスや、詳細情報記憶部１６に記憶されるＷｅｂページの情報に紐付けされる。
【００２７】
Ｗｅｂアドレス記憶部１５は、ＷｅｂページのＷｅｂアドレスを記憶する。ユーザは、ＲＳＳデータによる新着記事の一覧やその概要から、所望の詳細情報の閲覧を要求する。詳細情報は、ＲＳＳデータに紐付けされているＷｅｂサイトから取得することができ、Ｗｅｂアドレス記憶部１５には、そのＷｅｂサイトのアドレスを記憶する。Ｗｅｂサイトのアドレスは詳細情報の所在情報であり、Ｗｅｂアドレス記憶部１５は、所在情報を記憶する本発明の記憶部に相当する。
【００２８】
詳細情報記憶部１６は、Ｗｅｂサイトから取得した記事の詳細情報を記憶する。詳細情報は、複数記憶することができる。記憶した詳細情報は、情報通信端末１がネットワークに接続していないオフラインの状態でも表示可能となる。
【００２９】
表示部１３は、各種情報を表示するＬＣＤ等の表示画面を備え、表示画面の表示制御を行う機能として、ＲＳＳ表示部１３ａとＷｅｂ表示部１３ｂを有する。ＲＳＳ表示部１３ａは、ＲＳＳリーダにより取得されたＲＳＳデータを表示させる。ＲＳＳデータは、ユーザが予め登録した例えばブログサイトやニュース・サイトから取得した記事の一覧やその概要情報を示す。Ｗｅｂ表示部１３ｂは、ＲＳＳ表示部１３ａにより表示された記事の一覧や概要のなかから、ユーザに選択された記事の詳細情報を示すＷｅｂページを表示させる。
【００３０】
図２は、本発明に係る情報通信端末の実施形態における各機能要素の動作を説明する図である。ここでは、図１の構成のＲＳＳ情報記憶部１４、Ｗｅｂアドレス記憶部１５、詳細情報記憶部１６、及び表示部１３の動作例をその処理の流れに沿って説明する。各部の制御は、制御部１２よって実行される。
まず、情報通信端末では、所定のユーザ操作に応じてＲＳＳ情報記憶部１４に記憶しているＲＳＳデータによる記事（ＲＳＳ記事）の一覧情報（記事一覧情報）１０１ａを、記事の一覧画面１０２ａとして表示部１３に表示させる（ステップＳ１１）。ＲＳＳ情報記憶部１４に記憶されている一覧情報１０１ａは、ＲＳＳリーダによって定期的に巡回した登録サイトから取得したものである。
【００３１】
表示部１３に表示された一覧画面１０２ａに、ユーザが興味を持った記事等があった場合、ユーザはその記事を選択することで、その記事の概要画面１０３を表示部１３に表示させることできる。概要画面１０３の表示から一覧画面１０２ｂに戻った場合、一旦概要を表示させた記事を区別可能に明示的に表示する。この場合、記事に星印（☆）のマークを付与して表示しているが、その表示形式は適宜定めることができる。例えば、概要を表示したことがある記事は、次に一覧画面を表示したときには表示させないようにしてもよい。
【００３２】
ユーザは、情報通信端末に対する操作によって、概要画面１０３に表示された記事に対して、詳細情報を要求することができる（ステップＳ１２）。また、一覧画面１０２ａからも直接に詳細情報を要求することができる。
ＲＳＳ情報記憶部１４では、記憶している記事の一覧情報１０１ａに対して、詳細情報が要求された記事に識別可能な情報を付与し、一覧情報１０１ｂの状態とする。図では一例として星印が示されているがそのデータ形式は適宜定められる。また、ＲＳＳ情報記憶部１４では、記憶している一覧情報１０１ｂのなかから、詳細情報がすでに表示された既読の記事に対しても、識別可能な情報を付与する。図では一例として“既”の印が示されている。
【００３３】
記事の一覧画面１０２ａから特定の記事が選択されて概要が表示され、もしくは概要が表示されることなく一覧画面から直接に記事の詳細情報が要求された場合、情報通信端末がネットワークに接続している状態のときには、そのままネットワークから詳細情報を取得し、表示部１３に詳細情報画面１０６を表示する。詳細情報を取得するネットワークのＷｅｂアドレスは、ＲＳＳ情報記憶部１４に記憶されているＲＳＳデータから取得できる。
【００３４】
一方、一覧画面１０２ａから特定の記事が選択されて概要が表示され、その詳細情報が要求されたときに、情報通信端末がネットワークに接続していない状態の場合には、選択された記事に紐付けされている詳細情報のＷｅｂアドレス１０４をＲＳＳ情報記憶部１４から取得し、Ｗｅｂアドレス記憶部１５に記憶する。
【００３５】
そして、情報通信端末がネットワークに接続していない状態から接続された状態になると（ステップＳ１３）、ＲＳＳ情報記憶部１４に詳細情報が要求されている記事がある場合、Ｗｅｂアドレス記憶部１５に記憶したＷｅｂアドレスを使用してネットワークから詳細情報１０５を取得して、詳細情報記憶部１６に記憶させる。ＲＳＳ情報記憶部１４では、詳細情報を取得した記事に識別可能な情報を付与して、一覧情報１０１ｃとする。図では、説明のために黒色の星印（★）を付与している。
【００３６】
ユーザは、情報通信端末のネットワークへの接続状態に係わらず、情報通信端末に詳細情報の表示を要求する操作を行うと（ステップＳ１４）、詳細情報記憶部１６に記憶されている詳細情報１０５を詳細情報画面１０６として表示部１３に表示させることができる。これにより、詳細情報を要求したときに情報通信端末がネットワークに接続していない状態であっても、ネットワークに接続されたときに自動的に詳細情報を取得して保存しておくため、ユーザは、面倒な操作を行うことなく適宜詳細情報を閲覧することができるようになる。
【００３７】
図３は、本発明に係る情報通信端末を用いた記事の詳細表示までの処理手順の一例を示す図で、図中、１は携帯電話やスマートフォン等の情報通信端末、２は無線ＬＡＮルータ、３はインターネット、４はユーザである。
ユーザは、情報通信端末１を操作して、記事一覧を要求する（ステップＳ２１）。記事一覧は、ＲＳＳリーダにより所定のサイトから取得されたものである。情報通信端末１では、上記の要求操作に対して取得している記事一覧を表示する（ステップＳ２２）。
【００３８】
そしてユーザは、表示された記事一覧の中から、例えば気になる記事等があって、その記事の詳細な内容を表示させたい場合には、まず、情報通信端末１を操作して詳細情報の取得要求を行う（ステップＳ２３）。
情報通信端末１は、ネットワークアクセスポイントとして機能する機器として例えば無線ＬＡＮルータ２に接続しようとするが、情報通信端末１がネットワークに接続できない状態にある場合、つまり無線ＬＡＮルータ２と接続できない場合には、選択した記事を記載したＲＳＳデータからその記事の詳細情報の所在を示すＷｅｂアドレスを取得して登録しておく（ステップＳ２４）。登録は、Ｗｅｂアドレスを所定のＷｅｂアドレス記憶部に記憶させることにより行われる。ここでは、情報通信端末１では、ネットワークへの接続を待つことなく、他の作業、例えばＲＳＳリーダにより取得された記事一覧の閲覧等を続行することができる。
【００３９】
そして、情報通信端末１は、無線ＬＡＮルータ２に対して、ネットワークへの接続を要求する（ステップＳ２５）。無線ＬＡＮルータ２が情報通信端末１と接続して、無線ＬＡＮルータ２から情報通信端末１に対してネットワークへの接続が通知されると（ステップＳ２６）、情報通信端末１は、Ｗｅｂブラウザを起動し、登録されているＷｅｂアドレスに従って、インターネット３上のサイトにアクセスし、詳細情報の取得を要求する（ステップＳ２７）。
【００４０】
そして、インターネット３から情報通信端末１に詳細情報が取得されると（ステップＳ２８）、情報通信端末１は、ユーザに対して詳細情報を取得したことを所定の手段で通知する（ステップＳ２９）。所定の手段としては、例えば図２等に示すように表示部に所定の表示を行うようにする。この他、音声情報を出力したり、所定のランプ等を点灯させたりするようにしてもよい。ユーザは、その通知に対して情報通信端末１に所定の操作を行うことで、取得された詳細情報を表示させて閲覧することができる（ステップＳ３０）。ここでは、情報通信端末１とネットワークとの接続状況に係わりなく、ユーザは取得した詳細情報をいつでも閲覧することができる。
【００４１】
図４は、本発明による情報通信端末における処理の流れの一例を示すフローチャートである。情報通信端末１は、ネットワークに接続中（Ｎｅｔ接続中）であるか判断する（ステップＳ３１）。ネットワークに接続中であれば、ＲＳＳデータの更新処理を行ってもよい。そして、ネットワークに接続中である場合、Ｗｅｂサイトから提供される詳細情報を取得すべきか判断する（ステップＳ３２）。詳細情報は、ＲＳＳリーダによって取得されたＲＳＳデータによる記事に対応してＷｅｂサイトから提供される記事の詳細情報である。
【００４２】
ステップＳ３２では、後述するステップＳ４２でＷｅｂアドレスが記憶されている場合、ネットワーク接続中に詳細情報を取得すべきであると判断される。この場合、そのＷｅｂアドレスを使用して詳細情報を取得する（ステップＳ３７）。詳細情報を取得すると、もしくは詳細情報の取得の必要がなければ、次に一覧表示を行うか否かを判定する（ステップＳ３３）。また、ステップＳ３１でネットワークに接続していない状態の場合にも、ステップＳ３３で一覧表示を行うか否かを判断する。
【００４３】
一覧表示は、ＲＳＳリーダが取得して情報通信端末に保持しているＲＳＳデータに基づくもので、例えばブログサイトやニュース・サイトで提供された記事一覧の情報である。一覧表示は、情報通信端末に対するユーザ操作によって指示される。一覧表示を行った場合、さらに概要表示に切り換えるかを判断する。概要表示は、一覧表示に表示された記事の一覧のうち、特定の記事についてユーザ操作に従ってその概要を表示させるもので、概要情報は、一覧情報とともにＲＳＳデータとして取得されている。
【００４４】
概要表示に切り換える必要がない場合、詳細表示に切り換えるかを判断する（ステップＳ３５）。詳細表示は、一覧表示に表示された記事の詳細情報を表示させるもので、Ｗｅｂサイトから提供される情報である。詳細表示は、ユーザ操作によって指示される。
詳細表示に切り換えない場合には、一覧表示の状態を維持し（ステップＳ３６）、ステップＳ３１に戻る。一方、詳細表示に切り換える場合には、詳細情報を取得済みかどうかを判断する（ステップＳ４３）。
【００４５】
詳細情報が取得済みでない場合には、一覧表示を維持し（ステップＳ３６）、ステップＳ３１に戻る。また、詳細情報が取得済みである場合、その詳細情報を表示させる（ステップＳ４１）。
【００４６】
ステップＳ３３で一覧表示を行わない場合（概要表示中の場合）、もしくはステップＳ３４で概要表示に切り換える場合、概要表示を行う（ステップＳ３８）。
そして、詳細情報を取得するか判断する（ステップＳ３９）。ここでは、概要表示された記事の概要の情報に対して、ユーザ操作により詳細情報の表示が指示された場合に、詳細情報を取得すべきと判断する。そして詳細情報を取得する場合、情報通信端末がネットワークに接続中であるか否かを判断する（ステップＳ４０）。ネットワークに接続中であれば、詳細情報を提供するＷｅｂサイトから詳細情報を取得し、詳細情報を表示させる（ステップＳ４１）。
ここで詳細情報を取得中に、ネットワークが切断した場合や、ネットワークに接続されているもののＷｅｂサイトがメンテナンス中などの理由でエラーとなった場合には、そのＷｅｂサイトのＷｅｂアドレスを記憶しておき、後に再度アクセスさせるようにすることもできる。
【００４７】
一方、ステップＳ３９で詳細情報を取得しない場合、ステップＳ３１に戻る。またステップＳ４０でネットワークに接続中でない場合、そのＷｅｂサイトのＷｅｂアドレスを記憶しておく（ステップＳ４２）。記憶したＷｅｂアドレスは、次にネットワーク接続されたときに、ステップＳ３７で使用され、詳細情報が取得される。
【００４８】
図５は、情報通信端末がＲＳＳリーダにより取得した記事の一覧表示及び概略表示の表示例を示す図で、図５（Ａ）は比較のために従来の手法による表示例を示す図、図５（Ｂ）は本発明の情報通信端末における表示例を示す図である。
図５（Ａ）に示すように、従来の表示例の場合、通信情報端末のＲＳＳリーダが取得した記事一覧情報は、一覧画面２０１ａのように表示される。ここでは、記事概要や詳細情報のユーザによる既読、未読を区別して表示してもよい。
【００４９】
記事の一覧画面２０１ａから、ユーザが興味のある記事などの特定の記事を選択する操作を行うと、その記事の概略情報が概略画面２０２として表示される。
【００５０】
記事の一覧表示では、その記事の数が多くなり、例えば１０００件以上表示される場合もある。この場合、詳細情報を要求した記事が一覧表示の中に埋もれて区別しにくくなる可能性がある。本発明に係る実施形態では、図５（Ｂ）に示すように、記事の一覧表示において、詳細情報の取得を要求中の記事や、詳細情報を取得済みの記事に対して他の記事と区別可能なようにマーク等の明示的な表示を行う。
【００５１】
ここでは、まず通信情報端末のＲＳＳリーダが取得した記事一覧情報は、まず一覧画面２１１ａのように表示される。一覧画面２１１ａでは、いずれの記事の詳細情報もまだ要求されていない状態であるものとする。
そして、一覧画面２１１ａに表示された記事のなかから、特定の記事の詳細情報が要求された場合、一覧画面２１１ｂに推移し、詳細情報が要求された記事をマーク等により区別可能に表示する。この例では、詳細情報が要求された記事に星印を付して表示している。この段階では、例えば白色の星印を付すことで、詳細情報が要求中であり、まだ詳細情報がＷｅｂサイトから取得できていない状態を示している。
【００５２】
詳細情報が要求中の記事のなかから、詳細情報が取得できた場合、一覧画面２１１ｃのように切り換える。ここでは、詳細情報が取得できた記事を黒色の星印に変更し、詳細情報が取得できている旨を明示的に表示する。
また、一覧画面２１１ｃに代えて、もしくは一覧画面２１１ｃの次に、詳細情報要求一覧画面２１２を表示させ、詳細情報が要求された記事のみを表示させるようにしてもよい。あるいは、詳細情報取得一覧画面２１３のように、詳細情報が取得できた記事のみを表示させるようにしてもよい。
【００５３】
また、ユーザ設定によっては、記事の一覧画面２１１ａから特定の記事について詳細情報が要求されたときに、その詳細情報が要求された記事を一覧画面２１１ａから除き、一覧画面２１１ｄのように、詳細情報が要求されていない記事のみを表示させるようにしてもよい。そして一覧画面２１１ｄの状態から、詳細情報要求一覧画面２１２のように、詳細情報が要求された記事のみを表示させてもよく、あるいは、詳細情報取得一覧画面２１３のように、詳細情報が取得できた記事のみを表示させるようにしてもよい。
また、一覧画面２１１ｄの状態から、詳細情報が取得できた記事について記事一覧の中に復帰させ、一覧画面２１１ｅのように表示させるようにしてもよい。この場合、詳細情報が取得できた記事について、黒色の星印を付して明示的に区別できるように表示する。
このように、詳細情報の要求中の記事や、詳細情報が取得できた記事について表示を変更することで、ユーザが見やすく分かりやすい表示を行うことができる。
【００５４】
図６は、情報通信端末がＲＳＳリーダにより取得した記事一覧表示及び概略表示の他の表示例を示す図である。本例の場合、記事一覧から複数の記事について詳細情報の取得が要求された場合、所定の条件に従って記事に優先順位を付け、登録順ではなく優先順位に従って詳細情報を取得する。
例えば通信情報端末のＲＳＳリーダが取得した記事一覧情報が一覧画面２２１ａのように表示されたものとする。そして、この中から複数の記事について詳細情報の取得が要求された場合、記事の登録順ではなく所定の条件に従う優先順位順に詳細情報を取得する。
【００５５】
例えば、所定の条件として、データサイズが小さい順に優先順位を高くすることで、同じ時間内で多くの記事の情報を取得することができる。また、所定の条件の他の例として、ユーザの興味の順に優先順位を高くすることができる。この場合、情報通信端末では、ユーザが過去に選択した記事の履歴情報を基に、その記事情報や記事の目次情報を解析し、ＲＳＳリーダが取得した記事のなかから、ユーザが興味を持った記事に近いものを判別し、優先順位を付けて表示させるようにする。
【００５６】
また、所定の条件の他の例として、ユーザの行動範囲に基づき、ユーザが行動している範囲に係わる記事の優先順位を高くすることができる。一例として、千葉から東京に通勤する人であれば、東京・千葉や関東地方に関連する記事の方が、九州地方に関連する記事よりも興味があると仮定することができる。従って例えばユーザの通勤経路等の行動範囲を予め登録し、ＲＳＳリーダが取得した記事のなかから、ユーザの行動範囲に関連する記事を判別して、優先順位を付けて詳細情報を取得させるようにすることができる。
【００５７】
一覧画面２２１ａでは、一覧で表示された記事のなかから特定の記事の詳細情報が要求された場合、その詳細情報が要求された記事に対して白色の星印を付すことで、詳細情報が要求中であることを明示的に表示する。そして、図６（Ｂ）に示すように、詳細情報が要求された記事について、所定の条件に基づく優先順位順に詳細情報を取得する。詳細情報が取得できた記事については、黒色の星印を付けて詳細情報が取得できたことを明示的に表示する。
【００５８】
図７は、情報通信端末で記事の詳細情報を表示するときの表示例を示す図である。本例では、詳細情報の取得が要求された場合、詳細情報に含まれるテキスト情報のみを取得し、その後所定の条件もしくは操作入力部に対する操作入力に従って、詳細情報に含まれる画像情報を取得する。
図７において、情報通信端末がＲＳＳリーダにより取得した記事について、その概要画面２３１が表示されているものとする。そしてこの概要画面２３１から詳細情報が要求されたとき、情報通信端末では、Ｗｅｂサイトで提供されている詳細情報からテキスト情報のみをダウンロードして取得する。そして取得したテキスト情報を詳細画面２３２ａとして表示させるようにする。
【００５９】
このような処理により、Ｗｅｂサイトから詳細情報を取得する時間を短縮することができる。例えば、地下鉄に乗車中に停車駅等で短時間の間に詳細情報を取得する必要があるときになど、短時間で複数の詳細情報を取得できる可能性が高くなる。また、複数の記事について詳細情報の取得が要求されている場合には、各記事の詳細情報のテキスト情報のみを取得することで、短時間複数の詳細情報を取得することができるようになる。
【００６０】
テキスト情報の詳細情報を取得した後、さらに画像情報の詳細情報を取得することができる。この場合、テキスト情報の詳細情報を取得した後に、所定のユーザ操作によって追加して画像情報を取得することができる。あるいは、所定の条件に従って画像情報の詳細情報を取得させることができる。所定の条件として、例えば、ネットワーク接続が所定期間安定して継続しているときや、夜間などの特定の時間帯のときに画像情報の詳細情報を取得するように定めることができる。
【００６１】
画像情報を含む詳細情報を取得した場合には、詳細画面２３２ｂのような表示となる。画像情報は、一般に詳細情報のテキストの内容を補足・強化するためのものであり、必ずしも必要であるとは限らないため、テキストのみを取得することで上記のような有利な効果が得られる。
【００６２】
図８は、情報通信端末がＲＳＳリーダにより取得した記事の一覧表示及び概略表示の他の表示例を示す図で、記事の一覧表示において、記事の状態に応じたマーク表示の設定例を示すものである。この例では、上記図７で示すように、詳細情報を取得する際に、詳細情報のテキスト情報のみを取得し、その後画像情報を含めた詳細情報を取得するときの一覧表示例を示す。
【００６３】
まず、通信情報端末のＲＳＳリーダが取得した記事が一覧画面２４１ａのように表示されたものとする。そして、一覧画面２４１ａのなかから、特定の記事について詳細情報が要求された場合、一覧画面２４１ｂに示すように、詳細情報要求中であることを示すマークとして例えば白色の星印を付けて表示する。
そして、詳細情報が要求中の記事のうち、テキストのみの詳細情報が取得できた記事については、一覧画面２４１ｃに示すように、黒色の星印のマークを付けるものとする。さらに詳細情報の画像情報を要求中である記事については、一覧画面２４１ｄに示すように、白色の菱形（◇）のマークを付与する。そして、詳細情報の画像情報が取得できた場合には、一覧画面２４１ｅに示すように、白色の菱形を黒色の菱形（◆）に変化させる。
このように、記事の詳細情報の取得の状態に応じて、複数のマークを使い分けて明示的に区別可能に表示することで、詳細状態の取得状態を簡単に判別することでき、ユーザの利便性を高めることができる。
【００６４】
なお、上記の各例では、情報通信端末がネットワークに接続されていないときに、詳細情報を提供するサイトのＷｅｂアドレスを登録して待機するようにしているが、例えば、ネットワークに接続しているものの、目的の詳細情報を提供するサイトがビジー状態でアクセスできなかったり、そのサイトがメンテナンス中でアクセスできなかったりしたときに、Ｗｅｂアドレスを登録しておくようにしてもよい。
【００６５】
また、情報通信端末に詳細情報を要求し、その詳細情報が取得できずにＷｅｂアドレスを登録した場合、その詳細情報の要求は、所定期間経過後削除するように定めることができる。例えば、ユーザが通勤時などに情報通信端末を操作して詳細情報を要求した場合、ユーザが帰宅すればＰＣなどの別の通信装置によって詳細情報を取得することができる。従って例えば１日等の期限を設定し、詳細情報の取得を要求してからその所定の期限が到来したときに、その詳細情報の要求を削除するようにしてもよい。
【００６６】
また、情報通信端末で詳細情報を取得するときに、詳細情報に含まれる画像情報も取得するため、データ量が大きくなる可能性がある。従って、例えば情報通信端末で一旦表示され、ユーザが閲覧したと考えられる詳細情報は、その後消去するように定めることができる。また、情報通信端末で表示されていない未読の詳細情報については、一定期間経過後消去するようにしてもよい。
【符号の説明】
【００６７】
１…情報通信端末、２…無線ＬＡＮルータ、３…インターネット、１１…通信部、１２…制御部、１３…表示部、１３ａ…ＲＳＳ表示部、１３ｂ…Ｗｅｂ表示部、１４…ＲＳＳ情報記憶部、１５…Ｗｅｂアドレス記憶部、１６…詳細情報記憶部、１７…操作入力部、１０１ａ〜１０１ｃ…一覧情報、１０２ａ〜１０２ｂ…一覧画面、１０３…概要画面、１０４…Ｗｅｂアドレス、１０５…詳細情報、１０６…詳細情報画面、２０１ａ…一覧画面、２０１ａ〜２０１ｂ…一覧画面、２０２…概略画面、２１１ａ〜２１１ｅ…一覧画面、２１２…詳細情報要求一覧画面、２１３…詳細情報取得一覧画面、２２１ａ〜２２１ｂ…一覧画面、２３１…概要画面、２３２ａ〜２３２ｂ…詳細画面、２４１ａ〜２４１ｅ…一覧画面。
【図１】
2013156785.tif 000003
【図２】
2013156785.tif 000004
【図３】
2013156785.tif 000005
【図４】
2013156785.tif 000006
【図５】
2013156785.tif 000007
【図６】
2013156785.tif 000008
【図７】
2013156785.tif 000009
【図８】
2013156785.tif 000010
【図９】
2013156785.tif 000011